(57)【要約】【課題】複数の車両によってそれぞれ撮影された映像記録データを、統合的に、ユーザが使い勝手良く扱うことができる映像表示装置を提供する。【解決手段】、映像表示装置は、複数の車両で各々撮影された記録映像データのうち所定の時刻範囲の時刻情報及び所定の位置範囲の位置情報を有するものを取得する記録映像データ取得部と、取得した記録映像データの１つの再生を行い表示装置に表示させ、かつ、再生中の記録映像データにおける映像中に、取得した記録映像データであって当該再生中の記録映像データ以外のものの位置情報を、ユーザが選択可能なように表示する表示制御部と、当該映像中に表示されている位置情報のうちの１つがユーザによって選択された場合、当該再生中の記録映像データから、ユーザにより選択された位置情報に対応する記録映像データに再生を切り替える再生切替処理部と、を備える。【選択図】図１
2019075705.tif 000002
【特許請求の範囲】
【請求項１】
複数の車両で各々撮影された車両外部の動画映像である記録映像データのうちで所定の時刻範囲の時刻情報及び所定の位置範囲の位置情報を有するものを取得する記録映像データ取得部と、
取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する表示制御部と、
当該映像中に表示されている位置情報のうちの１つがユーザによって選択された場合、当該再生中の記録映像データから、ユーザによって選択された位置情報に対応する記録映像データに再生を切り替える再生切替処理部と、を備える、映像表示装置。
【請求項２】
当該映像中に表示されている位置情報にそれぞれ対応する記録映像データのデータ末尾における位置に関する情報を、当該映像中に表示されている位置情報の近傍にそれぞれ表示させる、請求項１に記載の映像表示装置。
【請求項３】
当該映像中に表示されている位置情報にそれぞれ対応する記録映像データの前記位置情報より後における位置に関する情報を、当該映像中に表示されている位置情報の近傍にそれぞれ表示させる、請求項１に記載の映像表示装置。
【請求項４】
再生中の記録映像データにおける映像中に、再生切替えの履歴を表示する、請求項１から３のいずれか１項に記載の映像表示装置。
【請求項５】
端末装置とサーバ装置とから構成される映像表示システムであって、
前記サーバ装置は、
複数の車両において、各々、撮影され、送信された車両外部の動画映像である記録映像データを受信する記録映像データ受信部と、
前記記録映像データを、それぞれ、当該記録映像データが撮影された時刻情報および位置情報と対応付けて記憶する記憶部と、
前記端末装置から取得要求のあった記録映像データを前記端末装置に提供する記録映像データ提供部と、を備え、
前記端末装置は、
記録映像データ提供部に対して所定の時刻範囲の時刻情報及び所定の位置範囲の位置情報を有する記録映像データの取得要求を行い、当該記録映像データを取得する記録映像データ取得部と、
取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する表示制御部と、
当該映像中に表示されている位置情報のうちの１つがユーザによって選択された場合、当該再生中の記録映像データから、ユーザによって選択された位置情報に対応する記録映像データに再生を切り替える再生切替処理部と、を備える、映像表示システム。
【請求項６】
複数の車両で各々撮影された車両外部の動画映像である記録映像データのうちで所定の時刻範囲の時刻情報及び所定の位置範囲の位置情報を有するものを取得するステップと、
取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示するステップと、
当該映像中に表示されている位置情報のうちの１つがユーザによって選択された場合、当該再生中の記録映像データから、ユーザによって選択された位置情報に対応する記録映像データに再生を切り替えるステップと、を備える、映像表示方法。
【請求項７】
映像表示のためのプログラムであって、
複数の車両で各々撮影された車両外部の動画映像である記録映像データのうちで所定の時刻範囲の時刻情報及び所定の位置範囲の位置情報を有するものを取得する処理手順と、
取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する処理手順と、
当該映像中に表示されている位置情報のうちの１つがユーザによって選択された場合、当該再生中の記録映像データから、ユーザによって選択された位置情報に対応する記録映像データに再生を切り替える処理手順と、をコンピュータに実行させるプログラム。
【発明の詳細な説明】
【技術分野】
【０００１】
本発明は、映像表示装置、映像表示システム、映像表示方法及びプログラムに関する。
【背景技術】
【０００２】
近年、撮像手段を搭載した複数の車両においてそれぞれ撮影された記録映像データを共用する技術の開発が進められている。特許文献１には、現在位置測位手段で現在位置を測位し、経路設定手段で経路設定し、位置指定手段で位置を指定することにより、先行する他車より、経路中の指定した位置で撮影された映像を映像受信手段で受信し、表示手段で表示するナビゲーション装置が開示されている。
【先行技術文献】
【特許文献】
【０００３】
【特許文献１】国際公開第２００５／０５４７８３号
【発明の概要】
【発明が解決しようとする課題】
【０００４】
特許文献１における映像表示装置では、走行中の任意の車両が撮影した記録映像データを視聴することはできるが、複数の車両によってそれぞれ撮影された映像記録データを、統合的に、ユーザが使い勝手良く扱うことができなかった。
【０００５】
本発明は、以上の背景に鑑みなされたものであり、複数の車両によってそれぞれ撮影された映像記録データを、統合的に、ユーザが使い勝手良く扱うことができる映像表示装置を提供することを目的とする。
【課題を解決するための手段】
【０００６】
本発明は、映像表示装置であって、複数の車両で各々撮影された車両外部の動画映像である記録映像データのうちで所定の時刻範囲の時刻情報及び所定の位置範囲の位置情報を有するものを取得する記録映像データ取得部と、取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する表示制御部と、当該映像中に表示されている位置情報のうちの１つがユーザによって選択された場合、当該再生中の記録映像データから、ユーザによって選択された位置情報に対応する記録映像データに再生を切り替える再生切替処理部と、を備えるものである。
【０００７】
本発明は、端末装置とサーバ装置とから構成される映像表示システムであって、前記サーバ装置は、複数の車両において、各々、撮影され、送信された車両外部の動画映像である記録映像データを受信する記録映像データ受信部と、前記記録映像データを、それぞれ、当該記録映像データが撮影された時刻情報および位置情報と対応付けて記憶する記憶部と、前記端末装置から取得要求のあった記録映像データを前記端末装置に提供する記録映像データ提供部と、を備え、前記端末装置は、記録映像データ提供部に対して所定の時刻範囲の時刻情報及び所定の位置範囲の位置情報を有する記録映像データの取得要求を行い、当該記録映像データを取得する記録映像データ取得部と、取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する表示制御部と、当該映像中に表示されている位置情報のうちの１つがユーザによって選択された場合、当該再生中の記録映像データから、ユーザによって選択された位置情報に対応する記録映像データに再生を切り替える再生切替処理部と、を備えるものである。
【０００８】
本発明は、映像表示方法であって、複数の車両で各々撮影された車両外部の動画映像である記録映像データのうちで所定の時刻範囲の時刻情報及び所定の位置範囲の位置情報を有するものを取得するステップと、取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示するステップと、当該映像中に表示されている位置情報のうちの１つがユーザによって選択された場合、当該再生中の記録映像データから、ユーザによって選択された位置情報に対応する記録映像データに再生を切り替えるステップと、を備えるものである。
【０００９】
本発明は、映像表示のためのプログラムであって、複数の車両で各々撮影された車両外部の動画映像である記録映像データのうちで所定の時刻範囲の時刻情報及び所定の位置範囲の位置情報を有するものを取得する処理手順と、取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なように表示する処理手順と、当該映像中に表示されている位置情報のうちの１つがユーザによって選択された場合、当該再生中の記録映像データから、ユーザによって選択された位置情報に対応する記録映像データに再生を切り替える処理手順と、をコンピュータに実行させるものである。
【発明の効果】
【００１０】
本発明によれば、複数の車両によってそれぞれ撮影された映像記録データを、統合的に、ユーザが使い勝手良く扱うことができる。
【図面の簡単な説明】
【００１１】
【図１】実施の形態１にかかる映像表示装置の概略構成を示すブロック図である。
【図２】再生中の記録映像データにおける再生映像の一例を示す図である。
【図３】再生中の記録映像データにおける再生映像中において、ピンとともに行き先情報がプロットしたものの一例を示す模式図である。
【図４】実施の形態１にかかる映像表示装置における、記録映像データの再生を切替えする処理の流れの一例を示すフローチャートである。
【図５】実施の形態２にかかる映像表示システムの概略構成を示すブロック図である。
【発明を実施するための形態】
【００１２】
[実施の形態１]
以下、図面を参照して本発明の実施の形態１について説明する。
まず、本実施の形態にかかる映像表示装置１０の概略構成について説明する。
図１は、映像表示装置１０の概略構成を示すブロック図である。図１に示すように、映像表示装置１０は、記録映像データ取得部１１と、表示制御部１２と、再生切替処理部１３と、を備える。
【００１３】
映像表示装置１０は、サービスサーバに通信ネットワーク等を介して接続可能な各種端末であり、例えばパーソナルコンピュータ、携帯端末、ゲーム機、テレビなどである。
【００１４】
記録映像データ取得部１１は、複数の車両で各々撮影された車両外部の動画映像である記録映像データのうちで所定の時刻範囲の時刻情報及び所定の位置範囲の位置情報を有するものを取得するものである。複数の車両には、それぞれ、車両外部の動画映像である記録映像データを撮影するための車両用記録装置（一例としてドライブレコーダ）が設けられている。
【００１５】
複数の車両のドライブレコーダには、ＧＰＳ（Ｇｌｏｂａｌ  Ｐｏｓｉｔｉｏｎｉｎｇ  Ｓｙｓｔｅｍ）衛星から送信される電波を受信する受信部を搭載したビデオカメラが設置されている。それぞれのビデオカメラは車両の外部を撮影する。ビデオカメラは、例えば、車両前方の車両が走行する道路を撮影する。ここでは動画像を撮影するのに好適なビデオカメラとしたが、動画像撮影機能を有するスチルカメラであってもよい。
【００１６】
ドライブレコーダにおいて撮影された記録映像データは、当該記録映像データに対応する、走行映像を撮影した地点の位置を示す位置情報、および、走行映像を取得した時刻情報が付加される。記録映像データは、音声を含まない状態でサービスサーバにアップロードされるか、サービスサーバで音声が消去されることが好ましい。なお、位置情報は、ＧＰＳ衛星からドライブレコーダの受信部に送られて来た電波より自己の車両のいる場所を示す緯度と経度を算出することにより取得される。なお、記録映像データには、位置情報、時刻情報に加えて、ドライブレコーダのビデオカメラ（即ち、車両）が向いている方角を示す方角情報が付加されていてもよい。また、ドライブレコーダは、上記情報に加えて、記録映像データにＩＤ（Ｉｄｅｎｔｉｆｉｃａｔｉｏｎ）情報を付加してもよい。
【００１７】
対応する位置情報及び時刻情報が付加された記録映像データは、ドライブレコーダからサービスサーバに逐次アップロードされ、サービスサーバより記録映像データ取得部１１に送信される。記録映像データ取得部１１は、サービスサーバと通信回線やネットワークＮＷを介して接続される。なお、対応する位置情報及び時刻情報が紐付けされた記録映像データは、サービスサーバを介さずに、直接、記録映像データ取得部１１に送信されてもよい。
【００１８】
表示制御部１２は、取得した記録映像データの１つの再生を行い表示装置に表示させ、かつ、再生中の記録映像データにおける映像中に、取得した記録映像データであって当該再生中の記録映像データ以外のものの位置情報を、ユーザが選択可能なようにプロットするものである。再生中の記録映像データ以外のものの位置情報のプロットは、サービスサーバ側で行い、表示制御部１２は位置情報がプロットされた記録映像データを再生することとしてもよい。記録映像データ取得部１１による記録映像データの取得および表示制御部１２による記録映像データの再生は、サービスサーバからストリーミング再生することが好ましい。
【００１９】
再生切替処理部１３は、当該映像中にプロットされている位置情報のうちの１つがユーザによって選択された場合には、当該再生中の記録映像データから、ユーザによって選択された位置情報に対応する記録映像データに再生を切り替えるものである。つまり、再生切替処理部１３は、当該映像中にプロットされている位置情報のうちの１つがユーザによって選択された場合には、選択された位置情報に対応する記録映像データをサービスサーバに要求して、再生を切り替える。
【００２０】
図２は、再生中の記録映像データにおける再生映像の一例を示す図である。図２に示すように、再生中の記録映像データにおける再生映像中には、取得した記録映像データであって当該再生中の記録映像データ以外のものの位置情報を示すマークとしてのピン５１が重畳表示されている。すなわち、再生映像の領域内における緯度・経度は分かるので、再生映像の領域内に、取得した記録映像データであって当該再生中の記録映像データ以外のものの位置情報（緯度・経度）をピン５１でプロットすることができる。なお、取得した記録映像データであって当該再生中の記録映像データ以外のものの位置情報を示すマークは、ピン以外のものの表示、例えば矢印など任意の表示や表現が適用可能である。
【００２１】
上述したようにピン５１を再生映像中にプロットすると、結果として、再生映像の領域内に登場する車両のうち、所定の時刻範囲の時刻情報及び所定の位置範囲の位置情報が付加された記録映像データを有するものがピン５１によって指し示される。なお、再生映像中においてピン５１によりプロットされる位置情報を、再生中の記録映像データの位置情報（緯度・経度）から所定の範囲（例えば、半径１０ｍ未満の範囲）に限定するようにしてもよい。
【００２２】
記録映像データに、ドライブレコーダのビデオカメラ（即ち、車両）が向いている方角を示す方角情報が付加されている場合、再生中の記録映像データと方角情報が反対である記録映像データの位置情報に限定してピン５１をプロットするようにしてもよい。このようにすると、ピン５１によって指し示される他車両は、再生中の記録映像データを撮影した車両と対向するものに限定される。
【００２３】
ピン５１は、ユーザが選択可能なようにプロットされている。すなわち、ユーザは、映像表示装置１０における、再生映像中のピン５１を、直接指でタッチする（この場合、記録映像データを表示するディスプレイはタッチパネル式である）、マウスポインタによってクリックする、などにより特定のピン５１を選択することができる。
【００２４】
ユーザにより再生映像中の特定のピン５１が選択された場合、再生切替処理部１３は、現在再生中の記録映像データから、ユーザにより選択された位置情報に対応する記録映像データに再生を切り替える。つまり、ユーザは、再生映像中においてピン５１によって指し示されている他車両に仮想的に乗り換えすることが可能になる。ここで、仮想的な乗り換えとは、乗り換え操作によって、現在再生している記録映像から、ピン５１によって指し示されている他車両の記録映像データの再生に切り替えることである。仮想的な乗り換えが行われた場合、乗り換えが行われた時点から、ユーザによって選択された記録映像データに再生映像が切り替わる。このように、本実施の形態にかかる映像表示装置１０は、再生映像中の特定のピン５１を選択するだけでスムーズに再生の切り替えができるのでユーザに使い勝手が良く、ユーザはゲーム感覚で仮想的な乗り換えを楽しむことができる。
【００２５】
再生映像中においてピン５１によりプロットされている位置情報にそれぞれ対応する記録映像データのデータ末尾における位置の地名情報や施設情報（行き先情報）を、当該再生映像中にプロットされている位置情報の近傍にそれぞれ表示させるようにしてもよい。図３は、再生中の記録映像データにおける再生映像中において、ピン５１とともに行き先情報がプロットしたものの一例を示す模式図である。図３に示すように、ピン５１によりプロットされている位置情報の近傍には、○○県○○市、道の駅○○などといった、行き先情報５３がプロットされている。このようにすると、ユーザは行きたい場所までのルートを再生映像で確認することができる。
【００２６】
また、再生映像中においてピン５１によりプロットされている位置情報に対応する記録映像データの途中における位置の地名情報や施設情報（通過地点情報）を、当該再生映像中にプロットされている位置情報の近傍にそれぞれ表示させるようにしてもよい。例えば、図３に示すようにピン５１によりプロットされている位置情報より後の位置情報として、通過した地名や施設の情報がプロットされている。通過した地名は、ピン５１によりプロットされている位置情報に対応する記録映像データで次に通過する都市名や、政令指定都市や都道府県庁所在地などである。また、通過した施設名は、ピン５１によりプロットされている位置情報に対応する記録映像データで有名な施設の近傍を通過した場合などである。
【００２７】
さらに、再生映像中において、ユーザが、ここまでにどのような乗り換え、すなわち再生の切替えを行ったか、が分かるように再生切替え履歴を表示するようにしてもよい。
【００２８】
次に、図４を参照して、本実施の形態にかかる映像表示装置１０における、記録映像データの再生を切替えする処理の流れについて説明する。なお、以下の説明において、映像表示装置１０の構成については図１を適宜参照する。
【００２９】
図４は、映像表示装置１０における、記録映像データの再生を切替えする処理の流れの一例を示すフローチャートである。図４に示すように、まず、複数の車両で各々撮影された車両外部の動画映像である記録映像データのうちで所定の時刻範囲の時刻情報及び所定の位置範囲の位置情報を有するものを取得する（ステップＳ１０１）。ステップＳ１０１に続いて、取得した前記記録映像データの１つの再生を行い表示装置に表示させ、かつ、再生中の記録映像データにおける映像中に、取得した前記記録映像データであって当該再生中の記録映像データ以外のものの位置情報を、ユーザが選択可能なようにプロットする（ステップＳ１０２）。
【００３０】
ステップＳ１０１で、最初に取得する記録映像データは、自己のＩＤ情報によって特定される、自己の車両の走行時に記録した記録映像データを選択的に取得するようにしてもよい。また、他の車両の走行時に記録された任意の記録映像データを選択的に取得するようにしてもよい。記録映像データの選択は、例えば、地図上の任意の地点における任意の日時の指定により選択するようにしてもよい。
【００３１】
続いて、当該映像中にプロットされている位置情報のうちの１つがユーザによって選択されたか否かを判断する（ステップＳ１０３）。ステップＳ１０３で当該映像中にプロットされている位置情報のうちの１つがユーザによって選択された場合（ＹＥＳの場合）には、当該再生中の記録映像データから、ユーザによって選択された位置情報に対応する記録映像データに再生を切り替える（ステップＳ１０４）。
【００３２】
以上のように、本実施の形態にかかる映像表示装置１０によれば、再生映像中の特定のピン５１を選択するだけでスムーズに再生の切り替えができるので、複数の車両によってそれぞれ撮影された映像記録データを、統合的に、ユーザが使い勝手良く扱うことができる。
【００３３】
[実施の形態２]
以下、図面を参照して本発明の実施の形態２について説明する。なお、実施の形態１と共通の部分には共通の符号を付してその説明を省略する。
【００３４】
図５は、本実施の形態にかかる映像表示システム２００の概略構成を示すブロック図である。図５に示すように、本実施の形態にかかる映像表示システム２００は、サーバ装置２２０と、端末装置２１０と、から構成される。
【００３５】
サーバ装置２２０は、記録映像データ受信部２２１と、記憶部２２２と、記録映像データ提供部２２３と、を備える。記録映像データ受信部２２１は、複数の車両において、各々、撮影され、送信された車両外部の動画映像である記録映像データを受信する。記録映像データ受信部２２１は、各車両のドライブレコーダから記録映像データを受信するために通信回線やネットワークＮＷに接続されている。記憶部２２２は、記録映像データ受信部２２１において受信した記録映像データを、それぞれ、当該記録映像データが撮影された時刻情報および位置情報と対応付けて記憶する。記録映像データ提供部２２３は、端末装置２１０から取得要求のあった記録映像データを端末装置２１０に提供する。記録映像データ提供部２２３は、端末装置２１０に記録映像データを供給するために通信回線やネットワークＮＷに接続されている。
【００３６】
端末装置２１０は、記録映像データ取得部２１１と、表示制御部１２と、再生切替処理部１３と、を備える。端末装置２１０は、例えば、パーソナルコンピュータ、携帯端末、ゲーム機、テレビなどである。記録映像データ取得部２１１は、記録映像データ提供部２２３に対して所定の時刻範囲の時刻情報及び所定の位置範囲の位置情報を有する記録映像データの取得要求を行い、当該記録映像データを取得する。記録映像データ取得部２１１は、サーバ装置２２０と通信回線やネットワークＮＷを介して接続される。
【００３７】
各車両ドライブレコーダにおいて、記録映像データを、音声を含まない形式に変換してからサーバ装置２２０に送信するようにしてもよい。または、サーバ装置２２０の記録映像データ提供部２２３において、ドライブレコーダより音声付きで送信された記録映像データを、音声を含まない形式に変換してから端末装置２１０に提供するようにしてもよい。
【００３８】
各車両ドライブレコーダにおいて、記録映像データを、各車両のドライブレコーダにおいて、車両を特定する情報（例えば、ナンバープレート、車両のドア等に表示された会社名、搭乗者）や、歩行者、個人住宅の標識等の個人情報は判別不可能な状態にしてサーバ装置２２０に送信するようにしてもよい。または、サーバ装置２２０の記録映像データ提供部２２３において、記録映像データを、各車両のドライブレコーダにおいて、車両を特定する情報や、歩行者、個人住宅の標識等の個人情報は判別不可能な状態にして記録映像データ取得部１１に提供するようにしてもよい。
【００３９】
端末装置２１０は、まず、サーバ装置２２０に接続して自己のＩＤ情報を照合することによりサーバ装置２２０にログインする。サーバ装置２２０は、ログインした端末装置２１０に対し、地図上において記憶部２２２に記憶された記録映像データの位置情報が付加された地図データを提供するようにしてもよい。この地図データは、地図上に表示された記録映像データの位置情報をユーザが選択することが可能に構成されている。
【００４０】
端末装置２１０において、ユーザが、時刻情報を指定するとともに、地図データにおける地図上の任意の地点を選択すると、該当する記録映像データが再生される。なお、端末装置２１０において、記録映像データの再生を切替えする処理の流れは、図４を用いて説明した、実施の形態１にかかる映像表示装置１０における、記録映像データの再生を切替えする処理の流れと同じである。
【００４１】
以上より、本実施の形態にかかる映像表示システムに拠れば、複数の車両によってそれぞれ撮影された映像記録データを、統合的に、ユーザが使い勝手良く扱うことができる。
【００４２】
なお、本発明は上記実施の形態に限られたものではなく、趣旨を逸脱しない範囲で適宜変更することが可能である。
【００４３】
本発明にかかる映像表示装置の各部における処理は、コンピュータなどにプログラムを実行させることによって実現できる。より具体的には、車両用表示制御装置において、プログラムメモリに格納されたプログラムを主記憶装置にロードし、ＣＰＵの制御によって当該プログラムを実行して実現する。ここで、プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ Ｏｎｌｙ Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。また、車両用表示制御装置の各部における処理は、プログラムによるソフトウェアで実現することに限ることなく、ハードウェア、ファームウェア、及びソフトウェアのうちのいずれかの組み合わせ等により実現しても良い。
【符号の説明】
【００４４】
１０  映像表示装置
１１、２１１  記録映像データ取得部
１２  表示制御部
１３  再生切替処理部
５１  ピン
２００  映像表示システム
２１０  端末装置
２２０  サーバ装置
２２１  記録映像データ受信部
２２２  記憶部
２２３  記録映像データ提供部
【図１】
2019075705.tif 000003
【図２】
2019075705.tif 000004
【図３】
2019075705.tif 000005
【図４】
2019075705.tif 000006
【図５】
2019075705.tif 000007